(57)【要約】【課題】バルブブロック２にパイロット弁方式の電磁式開閉弁から成る２個の弁６，７を組み付けて構成される切換弁において、第１の弁６を常開型、第２の弁７を常閉型として、消費電力の削減を図ると共に、両弁のパイロット弁６９，７９を共に常閉電磁弁で構成して、部品の共用化によるコストダウンを図る。【解決手段】第２の弁７のパイロット弁７９（常閉電磁弁）は、主弁７４の背圧室７６のリーク通路７８に介設し、第１の弁６のパイロット弁６９（常閉電磁弁）は、主弁６４の背圧室６６に流入側の圧を導入する導入通路６７に介設する。これにより、第２の弁７は常閉型になり、第１の弁６は常開型になる。また、第１の弁６の背圧室６６のリーク通路６８を第２の弁７の流出通路７３に接続すると共に、リーク通路６８にオリフィス部６８ａを形成する。【選択図】  図２
2005016653.tif 000002
【特許請求の範囲】
【請求項１】
単一の流入口と第１と第２の２つの流出口とを有するバルブブロックに、流入口と第１流出口との間に位置する第１弁と、流入口と第２流出口との間に位置する第２弁とを組み付け、第１と第２の両弁を選択的に開弁して、流入口を第１と第２の両流出口に選択的に接続するようにした電磁式切換弁であって、
バルブブロックに、第１弁用の筒状の主弁座と、第１弁用の主弁座を囲う流入口に連なる第１弁用の流入室と、第１弁用の主弁座の内周空間と第１流出口とを連通する第１弁用の流出通路と、第２弁用の筒状の主弁座と、第２弁用の主弁座を囲う流入口に連なる第２弁用の流入室と、第２弁用の主弁座の内周空間と第２流出口とを連通する第２弁用の流出通路とを形成し、
第１と第２の各弁を、夫々、対応する弁用の主弁座に対向させた状態で流入室を覆うように設けたダイヤフラム弁と、ダイヤフラム弁とダイヤフラム弁の背面側に設ける押え蓋との間に画成される背圧室の内圧を変化させて、ダイヤフラム弁を主弁座から離隔する開弁状態と、主弁座に着座する閉弁状態とに切換える電磁弁から成るパイロット弁とを備えるパイロット弁方式の電磁式開閉弁で構成するものにおいて、
第１弁用の背圧室に第１弁用の流入室の流体を導入する第１弁用の導入通路と、第１弁用の背圧室内の流体を第２弁用の流出通路にリークするオリフィス部を有する第１弁用のリーク通路と、第２弁用の背圧室に第２弁用の流入室の流体を導入する第２弁用の導入通路と、第２弁用の背圧室内の流体を第２弁用の流出通路にリークする第２弁用のリーク通路とを設けて、第１弁用の導入通路に常閉型電磁弁から成る第１弁用のパイロット弁を介設すると共に、第２弁用のリーク通路に常閉型電磁弁から成る第２弁用のパイロット弁を介設することを特徴とする電磁式切換弁。
【請求項２】
第１弁用と第２弁用の各パイロット弁は、ソレノイドの内周からソレノイドの先方に突出するガイドスリーブに、ばねで先方に付勢され、ソレノイドへの通電で尾方に磁気吸引される弁体を内挿し、ガイドスリーブの先端に、弁体がばねの付勢力で着座する弁座を形成すると共に、ガイドスリーブの弁座の手前側の部分に流入孔を開設して成る常閉型電磁弁で構成されることを特徴とする請求項１に記載の電磁式切換弁。
【請求項３】
第１弁用と第２弁用の各ダイヤフラム弁に、夫々、バルブブロックに接する周縁部の１箇所に位置させて、第１弁用と第２弁用の各背圧室に連通する連通孔を形成し、バルブブロックに、第１弁用の流入室と第１弁用のパイロット弁の流入部とを結ぶ第１弁用の導入通路の上流側通路部と、第１弁用のパイロット弁の流出部と第１弁用のダイヤフラム弁の連通孔とを結ぶ第１弁用の導入通路の下流側通路部とを形成すると共に、この下流側通路部と第２弁用の流出通路とを結ぶように第１弁用のリーク通路を形成し、更に、バルブブロックに、第２弁用のダイヤフラム弁の連通孔と第２弁用のパイロット弁の流入部とを結ぶ第２弁用のリーク通路の上流側通路部と、第２弁用のパイロット弁の流出部と第２弁用の流出通路とを結ぶ第２弁用のリーク通路の下流側通路部とを形成すると共に、第２弁用の流入室と第２弁用のリーク通路の上流側通路部とを結ぶように第２弁用の導入通路を形成することを特徴とする請求項１または２に記載の電磁式切換弁。
【請求項４】
給湯回路と暖房回路とを有する給湯暖房熱源機に熱交換器で加熱された湯水を給湯回路と暖房回路とに選択的に通水するために設ける切換弁として使用する請求項１〜３の何れか１項に記載の電磁式切換弁であって、この電磁式切換弁の前記第１流出口に給湯回路を接続し、前記第２流出口に暖房回路を接続することを特徴とする電磁式切換弁。
【発明の詳細な説明】
【０００１】
【発明の属する技術分野】
本発明は、主として給湯回路と暖房回路とを有する給湯暖房熱源機に熱交換器で加熱された湯水を給湯回路と暖房回路とに選択的に通水するために設ける切換弁として使用する電磁式切換弁に関する。
【０００２】
【従来の技術】
給湯暖房熱源機に設ける切換弁としては、一般に、三方弁を用いているが、パイロット弁方式の電磁式開閉弁を２個組み合わせて切換弁を構成することも考えられている。
【０００３】
パイロット弁方式の電磁式開閉弁は、筒状の主弁座と、主弁座を囲う流入室と、主弁座の内周空間に連通する流出通路とを形成したバルブブロックに、主弁座の軸線方向に対向させた状態で流入室を覆うように取付けたダイヤフラム弁と、ダイヤフラム弁とダイヤフラム弁の背面側に設ける押え蓋との間に画成される背圧室の内圧を変化させて、ダイヤフラム弁を主弁座から離隔する開弁状態と、主弁座に着座する閉弁状態とに切換える電磁弁から成るパイロット弁とで構成されるもので、パイロット弁のソレノイドへの通電停止時にダイヤフラム弁が閉弁するもの（常閉型）と開弁するもの（常開型）とがある。
【０００４】
ここで、パイロット弁方式の電磁式開閉弁では、一般に、背圧室に流入室の流体を導入する導入通路と、背圧室内の流体を流出通路にリークするリーク通路とを設けて、リーク通路にパイロット弁を介設しており、パイロット弁の閉弁時には、導入通路から導入される流体が背圧室に封じ込められ、背圧室の内圧上昇によりダイヤフラム弁が閉弁され、パイロット弁の開弁時には、リーク通路を介しての流体リークにより背圧室の内圧が低下してダイヤフラム弁が開弁される。そして、常閉型では、リーク通路に介設するパイロット弁を常閉電磁弁で構成し、パイロット弁が閉弁されるソレノイドへの通電停止時にダイヤフラム弁が閉弁されるようにし（例えば、特許文献１参照。）、一方、常開型では、リーク通路に介設するパイロット弁を常開電磁弁で構成し、パイロット弁が開弁されるソレノイドへの通電停止時にダイヤフラム弁が開弁されるようにしている（例えば、特許文献２参照。）。
【０００５】
【特許文献１】
特許第２６００９３２号公報
【特許文献２】
特開２００２−１０６７４２号公報
【０００６】
【発明が解決しようとする課題】
ところで、パイロット弁方式の電磁式開閉弁を２個組み合わせて上記切換弁を構成する場合、給湯回路への通水を担当する一方の電磁式開閉弁を常開型、暖房回路への通水を担当する他方の電磁式開閉弁を常閉型とすれば、使用頻度の高い給湯回路への通水時に両電磁式開閉弁のパイロット弁の何れにも通電せずに済み、消費電力を削減できる。然し、このように常開型と常閉型の電磁式開閉弁を併用する場合、パイロット弁として、常開型の電磁式開閉弁では常開電磁弁を用い、常閉型の電磁式開閉弁では常閉電磁弁を用いるため、部品を共用化できず、コストが高くなる不具合がある。
【０００７】
本発明は、以上の点に鑑み、常開型の電磁式開閉弁と常閉型の電磁式開閉弁とを用いた低コストの電磁式切換弁を提供することをその課題としている。
【０００８】
【課題を解決するための手段】
上記課題を解決するために、本発明は、単一の流入口と第１と第２の２つの流出口とを有するバルブブロックに、流入口と第１流出口との間に位置する第１弁と、流入口と第２流出口との間に位置する第２弁とを組み付け、第１と第２の両弁を選択的に開弁して、流入口を第１と第２の両流出口に選択的に接続するようにした電磁式切換弁であって、バルブブロックに、第１弁用の筒状の主弁座と、第１弁用の主弁座を囲う流入口に連なる第１弁用の流入室と、第１弁用の主弁座の内周空間と第１流出口とを連通する第１弁用の流出通路と、第２弁用の筒状の主弁座と、第２弁用の主弁座を囲う流入口に連なる第２弁用の流入室と、第２弁用の主弁座の内周空間と第２流出口とを連通する第２弁用の流出通路とを形成し、第１と第２の各弁を、夫々、対応する弁用の主弁座に対向させた状態で流入室を覆うように設けたダイヤフラム弁と、ダイヤフラム弁とダイヤフラム弁の背面側に設ける押え蓋との間に画成される背圧室の内圧を変化させて、ダイヤフラム弁を主弁座から離隔する開弁状態と、主弁座に着座する閉弁状態とに切換える電磁弁から成るパイロット弁とを備えるパイロット弁方式の電磁式開閉弁で構成するものにおいて、バルブブロックに、第１弁用の背圧室に第１弁用の流入室の流体を導入する第１弁用の導入通路と、第１弁用の背圧室内の流体を第２弁用の流出通路にリークするオリフィス部を有する第１弁用のリーク通路と、第２弁用の背圧室に第２弁用の流入室の流体を導入する第２弁用の導入通路と、第２弁用の背圧室内の流体を第２弁用の流出通路にリークする第２弁用のリーク通路とを形成して、第１弁用の導入通路に常閉電磁弁から成る第１弁用のパイロット弁を介設すると共に、第２弁用のリーク通路に常閉電磁弁から成る第２弁用のパイロット弁を介設している。
【０００９】
上記の構成によれば、第２弁用のパイロット弁の閉弁時（ソレノイドへの通電停止時）には、第２弁用の導入通路から導入される流体が第２弁用の背圧室に封じ込められ、背圧室の内圧上昇により第２弁用のダイヤフラム弁が閉弁され、第２弁用のパイロット弁の開弁時（ソレノイドへの通電時）には、第２弁用のリーク通路を介しての流体リークにより第２弁用の背圧室の内圧が低下して第２弁用のダイヤフラム弁が開弁される。従って、第２弁を構成する電磁式開閉弁は常閉型になる。
【００１０】
一方、第１弁用のパイロット弁の閉弁時（ソレノイドへの通電停止時）には、第１弁用の背圧室内の流体が第１弁用のリーク通路を介してリークし、第１弁用の背圧室の内圧が低下して第１弁用のダイヤフラム弁が開弁される。また、第１弁用のパイロット弁の開弁時（ソレノイドへの通電時）には、第１弁用の背圧室に第１弁用の流入室から第１弁用の導入通路を介して流体が導入される。この際、第１弁用の導入通路から導入される流体の一部は第１弁用のリーク通路からリークするが、このリーク量は第１弁用のリーク通路に設けたオリフィス部で制限されるため、第１弁の背圧室の内圧が上昇して第１弁用のダイヤフラム弁ａが閉弁される。このように第１弁用のパイロット弁として常閉電磁弁を用いているにも拘らず、第１弁を構成する電磁式開閉弁は常開型になる。
【００１１】
従って、給湯回路と暖房回路とを有する給湯暖房熱源機に熱交換器で加熱された湯水を給湯回路と暖房回路とに選択的に通水するために設ける切換弁として上記本発明の電磁式切換弁を使用し、この電磁式切換弁の第１流出口に給湯回路を接続し、第２流出口に暖房回路を接続すれば、使用頻度の高い給湯回路への通水時に第１弁用と第２弁用の両パイロット弁に共に通電せずに済み、消費電力を削減できる。しかも、第１弁用と第２弁用の両パイロット弁は共に常閉電磁弁で構成されるため、部品の共用化によるコストダウンを図れる。
【００１２】
また、常閉電磁弁として、ソレノイドの内周からソレノイドの先方に突出するガイドスリーブに、ばねで先方に付勢され、ソレノイドへの通電で尾方に磁気吸引される弁体を内挿し、ガイドスリーブの先端に、弁体がばねの付勢力で着座する弁座を形成すると共に、ガイドスリーブの弁座の手前側の部分に流入孔を開設して成る小型汎用タイプのものがある。この電磁弁は量産品でコストが安い。従って、第１弁用と第２弁用の両パイロット弁としてこのような小型汎用の常閉型電磁弁を用いれば、バルブブロックにパイロット弁用の弁室や弁座を形成する必要もなく、一層のコストダウンを図れる。
【００１３】
また、第１弁用と第２弁用の各ダイヤフラム弁に、夫々、バルブブロックに接する周縁部の１箇所に位置させて、第１弁用と第２弁用の各背圧室に連通する連通孔を形成し、バルブブロックに、第１弁用の流入室と第１弁用のパイロット弁の流入部とを結ぶ第１弁用の導入通路の上流側通路部と、第１弁用のパイロット弁の流出部と第１弁用のダイヤフラム弁の連通孔とを結ぶ第１弁用の導入通路の下流側通路部とを形成すると共に、この下流側通路部と第２弁用の流出通路とを結ぶように第１弁用のリーク通路を形成し、更に、バルブブロックに、第２弁用のダイヤフラム弁の連通孔と第２弁用のパイロット弁の流入部とを結ぶ第２弁用のリーク通路の上流側通路部と、第２弁用のパイロット弁の流出部と第２弁用の流出通路とを結ぶ第２弁用のリーク通路の下流側通路部とを形成すると共に、第２弁用の流入室と第２弁用のリーク通路の上流側通路部とを結ぶように第２弁用の導入通路を形成すれば、各ダイヤフラム弁に導入通路用とリーク通路用の各別の連通孔を形成せずに済む。そして、バルブブロックに形成する導入通路とリーク通路の変更だけで第１弁を常開型、第２弁を常閉型に構成できるため、第１弁用のダイヤフラム弁および押え蓋と第２弁用のダイヤフラム弁および押え蓋として夫々同一のものを使用することができ、部品の共用化を一層推し進めて、コストダウンを図ることができる。
【００１４】
尚、第１弁（ダイヤフラム弁）の閉弁時には、第１弁用のリーク通路から流体がリークするが、リーク先は第１弁の閉弁時に開弁する第２弁の流出通路であり、何ら不具合は生じない。
【００１５】
【発明の実施の形態】
図１は給湯暖房熱源機を示している。この熱源機は、不図示のバーナで加熱される熱交換器１０１と、給水管１０２からの水を加熱して給湯管１０３に供給する液―液熱交換器１０４と、液―液熱交換器１０４の熱源となる給湯回路１０５と、暖房用の放熱器１０６を介設した暖房回路１０７と、給湯回路１０５と暖房回路１０７とからの水を戻すシスターン１０８と、シスターン１０８と熱交換器１０２との間に配置した循環ポンプ１０９と、熱交換器１０２で加熱された湯水を給湯回路１０５と暖房回路１０７とに選択的に通水する切換弁１とを備えている。切換弁１は、常時は、給湯回路１０５に通水する状態になっており、暖房時にのみ暖房回路１０７に通水する。また、暖房時であっても、給湯時には暖房回路１０７への通水を中断して給湯回路１０５に通水する。尚、シスターン１０８には、給水管１０２から補水弁１１０を介して適宜水が補充される。
【００１６】
切換弁１は、図２及び図３に示すように、熱交換器１０１に連なる単一の流入口３と、給湯回路１０５を接続する左側の第１流出口４と、暖房回路１０７を接続する右側の第２流出口５とを形成したバルブブロック２に、流入口３と第１流出口４との間に位置する第１弁６と、流入口３と第２流出口５との間に位置する第２弁７とを組み付けて構成されている。
【００１７】
バルブブロック２には、左側に位置させて、第１弁６用の筒状の主弁座６１と、この主弁座６１を囲う流入口３に連なる第１弁６用の流入室６２と、主弁座６１の内周空間と第１流出口４とを連通する第１弁６用の流出通路６３とが形成されている。そして、バルブブロック２の左側面に、主弁座６１に対向させた状態で流入室６２を覆うダイヤフラム弁６４を装着し、ダイヤフラム弁６４の周縁部を背面側から押え蓋６５で押え付けている。ダイヤフラム弁６４と押え蓋６５との間には背圧室６６が画成されており、流入室６２の流体（水）を背圧室６６に導入する導入通路６７と、背圧室６６内の流体を後記する第２弁７用の流出通路７３にリークするリーク通路６８とを設け、導入通路６７に電磁弁から成るパイロット弁６９を介設している。かくして、ダイヤフラム弁６４とパイロット弁６９とから成るパイロット弁方式の電磁式開閉弁で第１弁６が構成される。尚、リーク通路６８には通路断面積を狭めたオリフィス部６８ａが設けられている。
【００１８】
パイロット弁６９の閉弁時は、リーク通路６８を介しての背圧室６６内の流体リークにより背圧室６６の内圧が低下し、ダイヤフラム弁６４が流入室６２の流体圧に押されて主弁座６１から離れて開弁状態になり、流入口３から第１流出口４（給湯回路１０５）に通水される。また、パイロット弁６９の開弁時は、流入室６２から導入通路６７を介して背圧室６６に流体が導入され、背圧室６６の内圧が上昇して、ダイヤフラム弁６４が自己の弾性復元力と背圧室６６の内圧による押圧力とで主弁座６１に着座して閉弁状態になり、第１流出口４への通水が停止される。尚、導入通路６７から導入される流体の一部はリーク通路６８からリークするが、リーク通路６８に設けたオリフィス部６８ａによりリーク量が制限されるため、背圧室６６の内圧はダイヤフラム弁６４の閉弁に必要な圧に確実に上昇する。ここで、パイロット弁６９は後述するように常閉電磁弁で構成されるから、第１弁６は、パイロット弁６９の通電停止時にダイヤフラム弁６４が開弁される常開型の弁になる。
【００１９】
また、バルブブロック２の右側には、第２弁７用の筒状の主弁座７１と、この主弁座７１を囲う流入口３に連なる第２弁７用の流入室７２と、主弁座７１の内周空間と第２流出口５とを連通する第２弁７用の流出通路７３とが形成されている。そして、バルブブロック２の右側面に、主弁座７１に対向させた状態で流入室７２を覆うダイヤフラム弁７４を装着し、ダイヤフラム弁７４の周縁部を背面側から押え蓋７５で押え付けている。ダイヤフラム弁７４と押え蓋７５との間には背圧室７６が画成されており、流入室７２の流体（水）を背圧室７６に導入する導入通路７７と、背圧室７６内の流体をリークするリーク通路７８とを設け、リーク通路７８に電磁弁から成るパイロット弁７９を介設している。かくして、ダイヤフラム弁７４とパイロット弁７９とから成るパイロット弁方式の電磁式開閉弁で第２弁７が構成される。
【００２０】
パイロット弁７９の閉弁時は、リーク通路７８が閉鎖されて、流入室７２から導入通路７７を介して導入される流体が背圧室７６に封じ込められて背圧室７６の内圧が上昇し、ダイヤフラム弁７４が自己の弾性復元力と背圧室６６の内圧による押圧力とで主弁座６１に着座して閉弁状態になる。また、パイロット弁７９の開弁時は、リーク通路７８を介しての流体リークにより背圧室７６の内圧が低下し、ダイヤフラム弁７４が流入室７２の流体圧に押されて主弁座７１から離れて開弁状態になり、流入口３から第２流出口５（暖房回路１０７）に通水される。ここで、パイロット弁７９は後述するように常閉電磁弁で構成されるから、第２弁７は、パイロット弁７９の通電停止時にダイヤフラム弁７４が閉弁される常閉型の弁になる。
【００２１】
第１弁６用のパイロット弁６９と第２弁７用のパイロット弁７９は、小型汎用タイプの同一の常閉電磁弁で構成されている。この常閉電磁弁は、ソレノイド８１と、ソレノイド８１の内周から先方に突出する樹脂製のガイドスリーブ８２とを備えており、ガイドスリーブ８２に弁体８３を摺動自在に内挿し、ガイドスリーブ８２の尾端部の固定鉄心８４との間に介設したばね８５で弁体８３を先方に付勢し、ソレノイド８１に通電したとき、弁体８３が固定鉄心８４により尾方に磁気吸引されるようにしている。また、ガイドスリーブ８２の先端に、弁体８３がばね８５の付勢力で着座する弁座８６を形成すると共に、ガイドスリーブ８２の弁座８６の手前側の部分に流入孔８７を開設している。弁座８６には、流出孔８８が形成されている。ソレノイド８１への通電停止時には、弁体８３が弁座８６に着座して閉弁状態になり、ソレノイド８１への通電時には、弁体８３が弁座８６から離れて開弁状態になり、流入孔８７から流出孔８８に流体が流れる。
【００２２】
バルブブロック２の上面には、第１弁６用のパイロット弁６９の装着穴と第２弁７用のパイロット弁７９の装着穴とが形成されており、各パイロット弁６９，７９のガイドスリーブ８２を各装着穴に挿入した状態で、バルブブロック２の上面に各パイロット弁６９，７９を取付けている。また、第１弁６用と第２弁７用の各ダイヤフラム弁６４，７４のバルブブロック２に接する周縁部の上部を上方に延出させて、ここに背圧室６６，７６に連通する連通孔６４ａ，７４ａを形成している。
【００２３】
そして、バルブブロック２に、第１弁６に関連して、第１弁６用の流入室６２と第１弁６用のパイロット弁６９の流入部たる流入孔８７とを結ぶ第１弁６用の導入通路６７の上流側通路部６７ａと、第１弁６用のパイロット弁６９の流出部たる流出孔８８と第１弁６用のダイヤフラム弁６４の連通孔６４ａとを結ぶ第１弁６用の導入通路６７の下流側通路部６７ｂとを形成すると共に、この下流側通路部６７ｂと第２弁７用の流出通路７３とを結ぶように第１弁６用のリーク通路６８を形成している。
【００２４】
また、バルブブロック２に、第２弁７に関連して、第２弁７用のダイヤフラム弁７４の連通孔７４ａと第２弁７用のパイロット弁７９の流入部たる流入孔８７とを結ぶ第２弁７用のリーク通路７８の上流側通路部７８ａと、第２弁７用のパイロット弁７９の流出部たる流出孔８８と第２弁７用の流出通路７３とを結ぶ第２弁７用のリーク通路７８の下流側通路部７８ｂとを形成すると共に、第２弁７用の流入室７２と第２弁７用のリーク通路７８の上流側通路部７８ａとを結ぶように第２弁７用の導入通路７７を形成している。尚、この場合、リーク通路７８の上流側通路部７８ａは、導入通路７７の下流側通路部分に兼用されることになる。
【００２５】
通路構成をこのようにすれば、各ダイヤフラム弁６４，７４に導入通路用とリーク通路用の各別の連通孔を形成せずに済む。そして、第１弁６用のパイロット弁６９と第２弁７用のパイロット弁７９とを共に同一の常閉電磁弁で構成しても、バルブブロック２に形成する導入通路６７，７７とリーク通路６８，７８の変更だけで第１弁６を常開型、第２弁７を常閉型に構成できる。そのため、パイロット弁６９，７９だけでなく、第１弁６用のダイヤフラム弁６４および押え蓋６５と第２弁７用のダイヤフラム弁７４および押え蓋７５も夫々同一のものを使用することができ、部品の共用化を一層推し進めて、コストダウンを図ることができる。
【００２６】
また、給湯回路１０５への通水を担当する第１弁６を常開型に構成し、暖房回路１０７への通水を担当する第２弁７を常閉型に構成しているため、使用頻度の高い給湯回路への通水時に第１弁６用と第２弁７用の両パイロット弁６９，７９に共に通電せずに済み、消費電力を削減できる。
【００２７】
尚、第１弁６を、常閉電磁弁から成るパイロット弁６９を用いて常開型に構成するには、導入通路６７にパイロット弁６９を介設が必要あり、そのため、リーク通路６８が常時開通されて、第１弁６の閉弁時にリーク通路６８から流体（水）がリークしてしまう。然し、リーク先は第１弁６の閉弁時に開弁する第２弁７の流出通路７３であり、何ら不具合は生じない。
【００２８】
以上、給湯暖房熱源機に設ける電磁式切換弁に本発明を適用した実施形態について説明したが、他の切換弁にも同様に本発明を適用できる。
【図面の簡単な説明】
【図１】給湯暖房熱源機の回路構成図。
【図２】本発明切換弁の実施形態の断面図。
【図３】図２のＩＩＩ―ＩＩＩ線で切断した切断面図。
【符号の説明】
１…電磁式切換弁、２…バルブブロック、３…流入口、４…第１流出口、５…第２流出口、６…第１弁、７…第２弁、６１，７１…主弁座、６２，７２…流入室、６３，７３…流出通路、６４，７４…ダイヤフラム弁、６４ａ，７４ａ…連通孔、６５，７５…押え蓋、６６，７６…背圧室、６７，７７…導入通路、６７ａ…導入通路の上流側通路部、６７ｂ…導入通路の下流側通路部、６８，７８…リーク通路、６８ａ…オリフィス部、７８ａ…リーク通路の上流側通路部、７８ｂ…リーク通路の下流側通路部、６９，７９…パイロット弁、８１…ソレノイド、８２…ガイドスリーブ、８３…弁体、８５…ばね、８６…弁座、８７…流入孔、８８…流出孔、１０１…熱交換器、１０５…給湯回路、１０７…暖房回路。
【図１】
2005016653.tif 000003
【図２】
2005016653.tif 000004
【図３】
2005016653.tif 000005